(57)【特許請求の範囲】
【請求項１】
室内ユニットのケーシング略中央部に配されるファンと、
該ファンの空気吸入側に配される熱交換器と、
前記ファンの後方から吹出口に向けて延び前記熱交換器を通過した空気を該吹出口へと案内するベースと、
該ベースの背面に設けられるドレンパンと、
該ドレンパンの下部に互いに間隔をおいて配される複数のリブと、
前記ドレンパンの背面，前記リブの上端面および前記ベースの下部背面に当接しつつこれらを覆うようにして取り付けられる一の断熱材とを備え、
前記リブは、前記ドレンパンの背面から該リブの高さが漸次減少しつつ前記ベースの下部背面に滑らかに連なるように形成され、
前記ベースと前記ドレンパンと前記断熱材との間に生じる隙間が、前記リブにより複数の空間部に分割され、かつ前記断熱材によりシールされていることを特徴とする空気調和機。
【発明の詳細な説明】
【０００１】
【発明の属する技術分野】
本発明は、室内ユニット内における結露を防止する断熱材の取付構造を改良した空気調和機に関する。
【０００２】
【従来の技術】
例えば、空気調和機の室内ユニット１は、図３の横断面図に示すように、吸込グリル２、エアフィルタ３、ケーシング４、熱交換器５ａ，５ｂ，５ｃ、ドレンパン６ａ，６ｂ，６ｃ，６ｄ、ダンジェンシャルファン７、ルーバ８およびフラップ９等から構成されている。
【０００３】
この空気調和機の冷房運転は、室内ユニット１のタンジェンシャルファン７が回転し、室内の空気が吸込グリル２、エアフィルタ３、熱交換器５ａ，５ｂ，５ｃをこの順に通って冷やされ、この冷やされた空気がルーバ８、フラップ９で風向を決められ室内に吹出されることによって行われる。
【０００４】
このとき、室外ユニット（図示略）の圧縮機で圧縮され吐出された冷媒は、凝縮器で放熱し液化して冷媒液となり、これが室内ユニット１の熱交換器５ａ，５ｂ，５ｃに分配されてパイプ１０中で吸熱し、これにより空気を冷却したあと再び室外ユニットの圧縮機に戻される。
【０００５】
【発明が解決しようとする課題】
ところで、上述の空気調和機においては、冷房運転時、熱交換器５ａ，５ｂ，５ｃで冷やされた空気をタンジェンシャルファン７により付勢し、その後方からルーバ８およびフラップ９に向けて延びるベース１１に沿って室内へと吹き出すようにしているため、この冷風によりベース１１が冷却されその背面が結露することがあるが、流下したドレン水はドレンパン６ｄに集められるようになっている。
【０００６】
また、このドレン水は、熱交換器５ａ，５ｂ，５ｃで空気を冷やすとともに結露して各ドレンパン６ａ，６ｂ，６ｃに流下したドレン水と合流し、室内ユニット１の下部に接続されたドレンホース（図示略）を介して室外へと排出されるようになっている。
【０００７】
しかしながら、ドレンパン６ｄよりも下方側に位置するベース１１の下部背面およびドレンパン６ｄの背面には結露防止のための対策を講じておく必要があるため、従来はこれら背面に断熱材１２，１３を別々に貼りつけていた。
このため、部品点数が増えるとともに、高価になるという問題があった。
【０００８】
本発明は、上記事情に鑑みてなされたもので、結露防止のための断熱材の取付構造を改良し、組立作業の簡便化および低コスト化を図ることのできる空気調和機を提供することを目的とする。
【０００９】
【課題を解決するための手段】
本発明は、前記課題を解決するために以下の構成を採用した。
すなわち、室内ユニットのケーシング略中央部に配されるファンと、
該ファンの空気吸入側に配される熱交換器と、
前記ファンの後方から吹出口に向けて延び前記熱交換器を通過した空気を該吹出口へと案内するベースと、
該ベースの背面に設けられるドレンパンと、
該ドレンパンの下部に互いに間隔をおいて配される複数のリブと、
前記ドレンパンの背面，前記リブの上端面および前記ベースの下部背面に当接しつつこれらを覆うようにして取り付けられる一の断熱材とを備えることを特徴とするものである。
【００１０】
このような構成では、ベースの下部背面およびドレンパンの背面における結露防止対策が、これら両背面およびリブの上端面に当接しつつこれらベース下部背面およびドレンパンの背面を覆うようにして取り付けられる１枚の断熱材のみによってなされる。
【００１１】
また、断熱材が、ベースの下部背面からリブの上端面を介してドレンパンの背面に連なるようにして取り付けられるため、従来のようにベースの下部背面を全面に亙り覆う必要がなくなる。
【００１２】
【発明の実施の形態】
以下、本発明に係わる空気調和機の一実施形態について、図１および図２を参照しながら説明するが、上述の従来技術と同一の構成要素については、同一符号を付している。
【００１３】
本空気調和機の室内ユニット１は、図１の横断面図に示すように、吸込グリル２、エアフィルタ３、ケーシング４、熱交換器５ａ，５ｂ，５ｃ、ドレンパン６ａ，６ｂ，６ｃ，６ｄ、タンジェンシャルファン７、ルーバ８およびフラップ９から主構成されている。
【００１４】
吸込グリル２は、室内ユニット１内に室内空気を導入するための吸入口を形成しており、その内面側には所定の間隔をおいて、室内ダストを濾過するためのエアフィルタ３が設けられている。
室内ユニット１の内部略中央には、タンジェンシャルファン７が配設され、また、その周囲には熱交換器５ａ，５ｂ，５ｃが配されている。
【００１５】
熱交換器５ａ，５ｂ，５ｃの下方には、これら熱交換器５ａ，５ｂ，５ｃを通過して冷やされた空気により結露して生じたドレン水を回収するためのドレンパン６ａ，６ｂ，６ｃが配設されている。
【００１６】
タンジェンシャルファン７は、室内空気を室内ユニット１内に吸い込むとともに、熱交換器５ａ，５ｂ，５ｃを通過した吸入空気を当該タンジェンシャルファン７の後方からルーバ８およびフラップ９に向けて円弧面状に延びるベース１１に沿って吹出口２１から吹き出させるものである。
室内ユニット１内に吸い込まれた吸入空気は、熱交換器５ａ，５ｂ，５ｃ内に挿通されたパイプ１０内を流通する冷媒との間で熱交換される。
【００１７】
パイプ１０内を流通する冷媒は、冷房運転時においては、室外ユニット（図示略）内に配設された圧縮機によって圧縮され、凝縮器で放熱して液化した後、各熱交換器５ａ，５ｂ，５ｃに分配され、ここで吸入空気から熱を吸収して該吸入空気を冷却した後、再び室外ユニットの圧縮機へと戻されるようになっている。
【００１８】
ルーバ８およびフラップ９は、吹出方向をユーザの要求方向に変更するためのもので、図１において左側から室内ユニット１を正面視した場合に、ルーバ８は吹出流を左右に振り分けるものであり、また、フラップ９は吹出流を上下に振り分けるものである。
【００１９】
ベース１１の背面３１には、熱交換器５ａ，５ｂ，５ｃを通過した空気により当該ベース１１が冷やされた際に、その上部背面３１Ａで結露したドレン水を回収するためのドレンパン６ｄと、該ドレンパン６ｄの下方位置に相互間隔を置いて配される複数（本実施形態では３つ）のリブ２２とが設けられている。
【００２０】
リブ２２の上端面３２は、図２に示すように、ドレンパン６ｄの背面３３からリブ高さが漸次減少しつつベース１１の下部背面３１Ｂに滑らかに連なるような円弧面に形成されている。
【００２１】
そして、本実施形態では、ベース１１の下部背面３１Ｂおよびドレンパン６ｄの背面３３の断熱は、これら背面３１Ｂ，３３およびリブ２２の上端面３２に密着させられる１枚の断熱材２３のみによって実現されている。
【００２２】
ここで、断熱材２３，ベース１１およびドレンパン６ｄの間には隙間Ｓが生じるが、この隙間Ｓはリブ２２によって複数の空間部Ｒ1に分割され、かつこれら空間部Ｒ1がリブ２２の上端面３２に断熱材２３が密着することにより完全にシールされた状態となるため、ケーシング４内の空間部Ｒ2との連通は全くなく、前記隙間Ｓに面するベース１１およびドレンパン６ａに結露が生じることは殆どない。
【００２３】
このように、本実施形態の空気調和機によれば、従来はベース１１およびドレンパン６ａの背面３１Ｂ，３３の全面に別々に貼り付けられていた２枚の断熱材を１枚で兼用することができる。
よって、組立作業が簡便化され、組立時間の削減による低コスト化を図ることができる。
【００２４】
また、断熱材２３を、ベース１１の下部背面３１Ｂからリブ２２の上端面３２に密着させつつドレンパン６ｄの背面３３に滑らかに連なるように貼り付けているため、従来のようにベース１１の下部背面３１Ｂを全面に亙り覆うことなく結露を防止することができる。
よって、断熱材２３の使用量も大幅に削減されることとなって、低コスト化をより一層促進することができる。
【００２５】
【発明の効果】
以上の説明から明らかなように、本発明によれば、次のような効果を奏することができる。
（ａ）ベースの下部背面およびドレンパンの背面における結露防止対策が、これら両背面およびリブの上端面に当接しつつこれらベースの下部背面およびドレンパンの背面を覆うようにして取り付けられる１枚の断熱材のみによってなされるため、従来はベースの下部背面とドレンパンの背面とに別々に取り付けていた２枚の断熱材を１枚で兼用することができる。
よって、組立作業が簡便化され、組立時間の削減による低コスト化を図ることができる。
【００２６】
（ｂ）また、断熱材がベースの下部背面からリブの上端面を介してドレンパンの背面に連なるようにして取り付けられるため、従来のようにベースの下部背面を全面に亙って覆う必要がなくなる。
よって、断熱材の使用量を大幅に削減して、低コスト化をより一層促進することができる。
【図面の簡単な説明】
【図１】  本発明に係わる空気調和機の一実施形態を示す室内ユニットの横断面図である。
【図２】  図１に示されるベースの下部背面周辺を拡大して示す要部拡大斜視図である。
【図３】  空気調和機の従来例を示す横断面図である。
【符号の説明】
１  室内ユニット
４  ケーシング
５ａ、５ｂ、５ｃ  熱交換器
６ｄ  ドレンパン
７  タンジェンシャルファン（ファン）
１１  ベース
２１  吹出口
２２  リブ
２３  断熱材
３１Ｂ  ベースの下部背面
３２  リブの上端面
【図１】
0003854400.tif 000002
【図２】
0003854400.tif 000003
【図３】
0003854400.tif 000004